(57)【要約】【課題】組立て作業及び廃棄作業が容易であり、しかも、巻き取った長尺物に型崩れが生じ難い巻き芯を提供する。【解決手段】対向配置された左右一対の段ボール製の板状の鍔部材２０と、前記各鍔部材２０に貫通状に形成された円形状の装着部２１と、波状の中芯の片面にライナーが接着されてなる片段製であり、前記ライナーが外側となるように円筒状に湾曲されると共に前記左右一対の鍔部材２０間に配設され、端部が前記装着部２１に挿入接着された芯体３０とを備える。【選択図】図１
0003144896.tif 000002
【実用新案登録請求の範囲】
【請求項１】
対向配置された左右一対の段ボール製の板状の鍔部材と、
前記各鍔部材に貫通状に形成された円形状の装着部と、
波状の中芯の片面にライナーが接着されてなる片段製であり、前記ライナーが外側となるように円筒状に湾曲されると共に前記左右一対の鍔部材間に配設され、端部が前記装着部に挿入接着された芯体と
を備えることを特徴とする巻き芯。
【請求項２】
前記装着部は、互いに離間する状態で同一円周上に配置された複数の円弧状の長孔によって全体が円形状に形成されており、
前記芯体は、前記各長孔に端部が挿入接着された複数の芯部材から構成されている
ことを特徴とする請求項１に記載の巻き芯。
【請求項３】
前記左右一対の鍔部材の外側の面に配設されると共に前記装着部を被覆する補強部材をさらに備えることを特徴とする請求項１または請求項２に記載の巻き芯。
【考案の詳細な説明】
【技術分野】
【０００１】
本考案は、巻き芯に関するものであり、詳しくは、樹脂チューブ、ゴムチューブ、紐、ロープ、鎖等の長尺物を巻き取る芯となる巻き芯に関するものである。
【背景技術】
【０００２】
従前より、樹脂チューブ、ゴムチューブ、紐、ロープ、鎖等の長尺物を巻き取る芯となる巻き芯としては、種々のものが案出されているが、中には、紙製の巻き芯がある。例えば図２に、紙製の巻き芯１の一例を例示する。
【０００３】
この巻き芯１は、対向配置された左右一対の鍔部材２の間に、円筒状の芯部材３が一体化されてなるものであり、また、鍔部材２の内側の表面には、芯部材３の内面を案内すると共に巻き芯１に軸を挿通した際の強度を確保するための補強部材５が一体化されてなるものである。
【０００４】
ここで、鍔部材２は、段ボールを円盤状に打抜形成してなるものであり、芯部材３は、一枚の厚紙を円筒状に湾曲してなるものであり、補強部材５は、段ボールのように中芯の両側にライナーが貼着された樹脂シートを円盤状に打抜形成してなるものである。そして、鍔部材２と補強部材５とは、ステープラ等の止金具によって一体化されている。また、芯部材３は、補強部材５の外周に添って円筒状に湾曲されると共に、端部に放射状に突設された複数の突片４部分において、鍔部材５にステープラ等の止金具によって一体化されている。
【考案の開示】
【考案が解決しようとする課題】
【０００５】
上述した従来の巻き芯は、芯部材を円筒状に保持した状態で鍔部材に一体化したり、また、ステープラ等の止金具によって鍔部材と補強部材とや、鍔部材と芯部材とを一体化しなければならず、組立て作業が煩わしいものであった。
【０００６】
また、使用後に廃棄するに際して材料を分別する場合、ステープラ等の止金具を外さなければならず、廃棄作業も煩わしいものであった。特に、補強部材が樹脂製であることから補強部材を鍔部材や芯部材と分別する場合においては、補強部材が円筒状の芯部材の内部に配置されているため、鍔部材から芯部材を取外した上で、鍔部材から補強部材を取外さなければならず、その分別作業は煩雑を極めていた。
【０００７】
さらに、従来の巻き芯では、芯部材が両端に突片を有するものであることから、樹脂チューブやゴムチューブ等の軟弱な長尺物を巻き取った際に、芯部材の両端部分において長尺物が突片に倣って変形し、型崩れしてしまうことがあった。特に、芯部材は、長尺物を巻き取るのに十分な強度を必要とすることから、必然的に厚くせざるを得ず、当然、突片も厚くなる。よって、従来の巻き芯では、長尺物の型崩れが生じ易かった。
【０００８】
本考案は上記の実状に鑑みてなされたものであり、組立て作業及び廃棄作業が容易であり、しかも、巻き取った長尺物に型崩れが生じ難い巻き芯の提供を課題とする。
【課題を解決するための手段】
【０００９】
上記課題を解決するために本考案の採った主要な手段は、
「対向配置された左右一対の段ボール製の板状の鍔部材と、
前記各鍔部材に貫通状に形成された円形状の装着部と、
波状の中芯の片面にライナーが接着されてなる片段製であり、前記ライナーが外側となるように円筒状に湾曲されると共に前記左右一対の鍔部材間に配設され、端部が前記装着部に挿入接着された芯体と
を備えることを特徴とする巻き芯」
である。
【００１０】
上記構成の巻き芯では、鍔部材と芯体とを一体化するに際して、鍔部材の装着部に芯体の端部を挿入して接着すればよく、組付け作業が容易である。特に、装着部が円形状に形成されていることから、装着部に挿入すれば、芯体は、装着部に倣って湾曲して円筒状となる。すなわち、鍔部材と芯体との組付けに際して、芯体をわざわざ円筒形状に保持しなくても、鍔部材に芯体を組付けるだけで、芯体は円筒状となる。よって、この点においても、組付け作業が容易である。
【００１１】
ところで、一般的な段ボールは、波状の中芯の両面にライナーを接着してなるものであるが、特殊な段ボールとして、中芯の片面にライナーを接着してなる所謂「片段」と称されるものがある。そして、片段は、両面にライナーを有する一般的な段ボールよりも強度は劣るものの、中芯やライナーを構成する紙材よりは、非常に強度に優れるものである。また、両面にライナーを有する一般的な段ボールよりも湾曲させ易いものである。
【００１２】
そこで、上記構成の巻き芯では、芯体を構成する材料として片段を採用している。これにより、芯体としての十分な強度を確保することができ、また、円筒状の芯体を良好に形成することができる。
【００１３】
また、鍔部材は段ボール製であり、芯体は片段製であり、しかも、相互の一体化が接着によってなされていることから、鍔部材と芯体とを特に分別する必要はなく廃棄することができる。よって、上記構成の巻き芯は、廃棄作業も簡便である。
【００１４】
さらに、芯体の両端には、従来のように突片が存在しないことから、芯体の両端部分において巻き取った長尺物に型崩れを生じさせない。しかも、円筒状の芯体は、片段のライナーが外側になっており、その周面は平滑であることから、片段によって芯体を形成しても、巻き取った長尺物に型崩れを生じさせない。
【００１５】
なお、芯体は、一枚の片段を円筒状に湾曲形成したものであってもよく、複数の片段を個別に円弧状に湾曲させて、全体で円筒状の芯体が構成されるようにしてもよい。
【００１６】
上述した手段において、
「前記装着部は、互いに離間する状態で同一円周上に配置された複数の円弧状の長孔によって全体が円形状に形成されており、
前記芯体は、前記各長孔に端部が挿入接着された複数の芯部材から構成されている
ことを特徴とする巻き芯」
とするのが好適である。
【００１７】
装着部を、円筒状の芯体の径に合致する径の円孔としてもよいが、このような態様では、鍔部材に一体化した状態の芯体は、その片面が円孔からなる装着部の内面に接着されるだけであり、鍔部材と芯体との組付け強度を十分に確保できない場合がある。
【００１８】
そこで、上記構成では、装着部を円弧状の長孔によって構成する。これにより、鍔部材に一体化した芯体は、その両面が長孔からなる装着部の内面に接着されることになり、鍔部材と芯体との十分な組付け強度を確保することができる。
【００１９】
また、完全円に近い円弧状の一つの長孔によって円形状の装着部を形成すると、鍔部材において、装着部の内側部分が片持ち状となり、脆弱となるのであるが、上記構成では、円形状の装着部を互いに離間する複数の円弧状の長孔によって形成してある。これにより、鍔部材において、装着部の内側部分の強度を確保することができる。
【００２０】
上述した手段において、
「前記左右一対の鍔部材の外側の面に配設されると共に前記装着部を被覆する補強部材をさらに備えることを特徴とする巻き芯」
とするのが好適である。
【００２１】
本考案に係る巻き芯に軸を通す場合、鍔部材に軸を通すだけでは、軸を十分な強度で保持できない場合があるが、上記構成では、補強部材を備えることから、この補強部材と鍔部材とに軸を通すことで、軸を十分な強度で保持することができる。
【００２２】
また、補強部材が、鍔部材の外側の面に、貫通状の装着部を被覆するように配設されていることから、鍔部材の装着部は、補強部材を底として内側に開口する溝状となる。よって、装着部に芯体の端部を挿入する場合、装着部が溝状であることから、装着部の底まで芯体を挿入することで、挿入量を常に一定にすることができる。よって、上記構成の巻き芯では、この点で、組付け作業が、より簡便となる。
【００２３】
ところで、補強部材としては、段ボールや樹脂等、適宜の材料により形成することができる。ここで、補強部材を段ボールで形成した場合には、鍔部材及び芯体と同一の材料であることから、巻き芯を廃棄する際に、個々の部材を分解して分別する必要がなく、廃棄が容易である。一方、補強部材を樹脂等、鍔部材や芯体と異なる材料によって形成した場合には、巻き芯を廃棄する際に、個々の部材を分解して分別するとしても、補強部材が鍔部材の外側の面に設けられていることから、鍔部材の外側から補強部材を取外せばよく、補強部材の分別作業が容易であり、この点で、従来の巻き芯よりも廃棄し易い。
【考案の効果】
【００２４】
以上のように、本考案によれば、組立て作業及び廃棄作業が容易であり、しかも、巻き取った長尺物に型崩れが生じ難い巻き芯を提供することができる。
【考案を実施するための最良の形態】
【００２５】
図１に、本考案に係る巻き芯１０の一例を示す。この巻き芯１０は、対向配置された左右一対の鍔部材２０と、左右の各鍔部材２０間に配設された円筒状の芯体３０と、左右の各鍔部材２０の外側の面に配設された補強部材４０とを、酢酸ビニール樹脂系の水性の接着剤等、適宜の接着剤によって一体化してなるものである。
【００２６】
鍔部材２０は、波状の中芯の両面にライナーが貼着されてなる一般的な段ボールを円盤状に打抜形成してなるものである。そして、鍔部材２０には、中心部分に、軸を挿通する軸孔２３が穿設されており、軸孔２３の周りに、鍔部材２０の表裏を貫通する円形状の装着部２１が設けられている。
【００２７】
装着部２１は、互いに離間する状態で同一円周上に配設された複数（本例では二つ）の円弧状の長孔２２から構成されており、長孔２２の幅は、後述する芯部材３１の厚さと略同一の寸法となっている。
【００２８】
補強部材４０は、鍔部材２０よりも薄い段ボールを、円形状の装着部２１よりも一回り大きな円盤状に打抜形成してなるものである。そして、補強部材４０には、中心部分に、鍔部材２０の軸孔２３と連通する軸孔４１が穿設されている。また、補強部材４０は、鍔部材２０の外側の面に貼着されており、鍔部材２０の表裏に貫通する装着部２１に対して底となり、装着部２１を溝状とするものである。
【００２９】
芯体３０は、鍔部材２０の装着部２１を構成する円弧状の長孔２２に対応する複数（本例では二つ）の芯部材３１から構成されており、全体で円筒状を呈する形態となっている。ここで、各芯部材３１は、波状の中芯の片面にライナーが貼着されてなる片段によって形成されており、ライナーが外側となるように湾曲した状態で、鍔部材２０の溝状となった装着部２１に端部が挿入され、接着されている。また、芯部材３１は、端面が溝状の装着部２１の底に当接するまで、装着部２１に挿入されている。
【００３０】
本例のように鍔部材２０の円弧状の長孔２２に芯部材３１の端部を挿入接着して芯体３０と鍔部材２０を一体化した巻き芯１０では、鍔部材２０の厚みによって、鍔部材２０に対して芯部材３１の立設状態が堅固に保持される。また、芯部材３１の両面及び端面が溝状の装着部２１の内面及び底面に接着されるため、鍔部材２０と芯部材３１との堅固な一体化が実現される。さらに、芯体３０は、湾曲した片段製の芯部材３１からなるものであり、長尺物を巻き取る芯としての十分な強度が確保される。
【００３１】
ところで、補強部材４０の軸孔４１の強度を向上させるために、補強部材４０を、段ボールよりも強度のある樹脂シート等によって形成してもよい。このように補強部材４０を鍔部材２０や芯体３０とは異なる材料によって形成しても、巻き芯１０を廃棄するに際しては、鍔部材２０の外側の面に貼着された補強部材４０を剥がすだけで補強部材４０を分別することができることから、廃棄作業が容易である。
【００３２】
以上、本考案に係る巻き芯１０の一例を説明したが、本考案に係る巻き芯１０はこれに限らず、本考案の要旨を逸脱しない範囲で適宜の変更が可能である。
【００３３】
例えば、芯体３０を、一つの芯部材３１から形成してもよく、また、三つ、或いは四つ以上の芯部材３１から構成してもよい。なお、半円以上または略半円程度に芯部材３１を湾曲させるのが強度確保の点で有利であることから、一つまたは二つの芯部材３１によって芯体３０を形成するのが好適である。
【００３４】
また、本例では、各芯部材３１が離間しており、芯体３０の外周面において、各芯部材３１間に隙間が生じている。よって、この間隙を、巻き取る長尺物の端部を係止する係止部として利用することができるが、隣接する一方或いは双方の芯部材３１を間隙に延出させることで、間隙を生じずに隣接する芯部材３１が平滑に接続されるようにしてもよい。
【図面の簡単な説明】
【００３５】
【図１】本考案に係る巻き芯の一例を示す分解斜視図である。
【図２】従来の巻き芯を示す分解斜視図である。
【符号の説明】
【００３６】
１  従来の巻き芯
２  鍔部材
３  芯部材
４  突片
５  補強部材
１０  巻き芯
２０  鍔部材
２１  装着部
２２  長孔
２３  軸孔
３０  芯体
３１  芯部材
４０  補強部材
４１  軸孔
【図１】
0003144896.tif 000003
【図２】
0003144896.tif 000004